(57)【要約】【課題】、居住地域の経緯度の違いによって発電開始時刻が変化することを考慮して適切な時刻に沸き上げを終了させて、太陽光発電装置での売電量を増加する。【解決手段】深夜時間帯終了時刻より遡った沸き上げ完了目標時刻を設定する沸き上げ完了時刻設定手段５１と、前日までの使用熱量を学習して翌日の目標熱量を算出する目標熱量算出手段５５と、目標熱量の沸き上げを沸き上げ完了目標時刻に完了させるための沸き上げ開始時刻を算出する沸き上げ開始時刻算出手段５６と、沸き上げ開始時刻になると沸き上げを開始させる沸き上げ制御手段５７と、を備え、沸き上げ完了時刻設定手段５１は、日付情報または季節情報を出力する季節情報出力手段５２と、設置地域を示す情報を予め入力する地域情報入力手段５３とを有していると共に、入力された地域情報と日付情報または季節情報とから沸き上げ完了目標時刻を決定するようにした。【選択図】図３
2014224660.tif 000002
【特許請求の範囲】
【請求項１】
湯水を貯湯する貯湯タンクと、所定の加熱能力で前記貯湯タンク内の湯水を沸き上げるヒートポンプ式加熱手段と、電力会社の時間帯別料金制度に対応する深夜時間帯終了時刻より遡った沸き上げ完了目標時刻を設定する沸き上げ完了時刻設定手段と、前日までの使用熱量を学習して翌日の目標熱量を算出する目標熱量算出手段と、前記目標熱量の沸き上げを前記沸き上げ完了目標時刻に完了させるための沸き上げ開始時刻を前記所定の加熱能力の値を用いて算出する沸き上げ開始時刻算出手段と、前記沸き上げ開始時刻になると前記ヒートポンプ式加熱手段を駆動開始させて沸き上げを開始させる沸き上げ制御手段と、を備え、前記沸き上げ完了時刻設定手段は、日付情報または季節情報を出力する季節情報出力手段と、設置地域を示す情報を予め入力する地域情報入力手段とを有していると共に、入力された前記地域情報と前記日付情報または前記季節情報とから前記沸き上げ完了目標時刻を決定するようにしたことを特徴とする太陽光発電装置対応ヒートポンプ貯湯式給湯機。
【請求項２】
前記地域情報入力手段に入力される地域情報は、経緯度、郵便番号、電話番号、地方名、県名、電源周波数、電力会社名のいずれかであることを特徴とする請求項１記載の太陽光発電装置対応ヒートポンプ貯湯式給湯機。
【請求項３】
前記地域情報入力手段に、さらに太陽光発電装置のパネル設置方向を入力可能とし、前記沸き上げ完了時刻設定手段は、前記パネル設置方向に応じて前記沸き上げ完了目標時刻を補正するようにしたことを特徴とする請求項１または２記載の太陽光発電装置対応ヒートポンプ貯湯式給湯機。
【請求項４】
湯水を貯湯する貯湯タンクと、所定の加熱能力で前記貯湯タンク内の湯水を沸き上げるヒートポンプ式加熱手段と、電力会社の時間帯別料金制度に対応する深夜時間帯終了時刻より遡った沸き上げ完了目標時刻を設定する沸き上げ完了時刻設定手段と、前日までの使用熱量を学習して翌日の目標熱量を算出する目標熱量算出手段と、前記目標熱量の沸き上げを前記沸き上げ完了目標時刻に完了させるための沸き上げ開始時刻を前記所定の加熱能力の値を用いて算出する沸き上げ開始時刻算出手段と、前記沸き上げ開始時刻になると前記ヒートポンプ式加熱手段を駆動開始させて沸き上げを開始させる沸き上げ制御手段と、を備え、前記沸き上げ完了時刻設定手段は、外部から入力される太陽光発電装置の発電開始時刻を記憶する発電時刻記憶手段を有していると共に、記憶した前記発電開始時刻から前記沸き上げ完了目標時刻を決定するようにしたことを特徴とする太陽光発電装置対応ヒートポンプ貯湯式給湯機。
【請求項５】
湯水を貯湯する貯湯タンクと、所定の加熱能力で前記貯湯タンク内の湯水を沸き上げるヒートポンプ式加熱手段と、電力会社の時間帯別料金制度に対応する深夜時間帯終了時刻より遡った沸き上げ完了目標時刻を設定する沸き上げ完了時刻設定手段と、前日までの使用熱量を学習して翌日の目標熱量を算出する目標熱量算出手段と、前記目標熱量の沸き上げを前記沸き上げ完了目標時刻に完了させるための沸き上げ開始時刻を前記所定の加熱能力の値を用いて算出する沸き上げ開始時刻算出手段と、前記沸き上げ開始時刻になると前記ヒートポンプ式加熱手段を駆動開始させて沸き上げを開始させる沸き上げ制御手段と、を備え、前記沸き上げ完了時刻設定手段は、外部から入力される日の出時刻を記憶する日の出時刻記憶手段を有していると共に、記憶した前記日の出時刻から前記沸き上げ完了目標時刻を決定するようにしたことを特徴とする太陽光発電装置対応ヒートポンプ貯湯式給湯機。
【請求項６】
前記沸き上げ完了時刻設定手段は、さらに外部からの天気予報情報を取得して記憶する天気予報記憶手段を有し、記憶した前記天気予報情報に応じて前記沸き上げ完了目標時刻を補正するようにしたことを特徴とする請求項１〜５のいずれか一項に記載の太陽光発電装置対応ヒートポンプ貯湯式給湯機。
【請求項７】
前記沸き上げ完了時刻設定手段は、前記沸き上げ完了目標時刻を遅くとも前記深夜時間帯終了時刻までに制限していることを特徴とする請求項１〜６のいずれか一項に記載の太陽光発電装置対応ヒートポンプ貯湯式給湯機。
【発明の詳細な説明】
【技術分野】
【０００１】
本発明は、太陽光発電装置に対応したヒートポンプ貯湯式給湯機に関するものである。
【背景技術】
【０００２】
従来よりこの種のヒートポンプ貯湯式給湯機においては、特許文献１に示されるように、日の出によって太陽光発電装置が発電開始する時刻に深夜時間帯に貯湯する貯湯式給湯機が稼働していることによる売電量の低下を抑制するために、太陽光発電装置が設備されていることがリモコン等から入力設定されていると、外気温度に応じた補正時間だけ深夜時間帯の終了時刻（ＡＭ７時に設定されている場合が多い）よりも遡った時刻に沸き上げを完了するようにしたものがあった。
【先行技術文献】
【特許文献】
【０００３】
【特許文献１】特開２０１２−１６３２３８号公報
【発明の概要】
【発明が解決しようとする課題】
【０００４】
ところが、この従来のものでは、外気温度で一律に補正時間が決定されているため、居住地域の経緯度の違いや、太陽光発電装置の設置方向等によって発電開始時刻が変化することが考慮されておらず、適切な時刻に沸き上げを終了させることができなかった。
【課題を解決するための手段】
【０００５】
そこで、本発明は上記課題を解決するため、湯水を貯湯する貯湯タンクと、所定の加熱能力で前記貯湯タンク内の湯水を沸き上げるヒートポンプ式加熱手段と、電力会社の時間帯別料金制度に対応する深夜時間帯終了時刻より遡った沸き上げ完了目標時刻を設定する沸き上げ完了時刻設定手段と、前日までの使用熱量を学習して翌日の目標熱量を算出する目標熱量算出手段と、前記目標熱量の沸き上げを前記沸き上げ完了目標時刻に完了させるための沸き上げ開始時刻を前記所定の加熱能力の値を用いて算出する沸き上げ開始時刻算出手段と、前記沸き上げ開始時刻になると前記ヒートポンプ式加熱手段を駆動開始させて沸き上げを開始させる沸き上げ制御手段と、を備え、前記沸き上げ完了時刻設定手段は、日付情報または季節情報を出力する季節情報出力手段と、設置地域を示す情報を予め入力する地域情報入力手段とを有していると共に、入力された前記地域情報と前記日付情報または前記季節情報とから前記沸き上げ完了目標時刻を決定するようにした。
【０００６】
また、前記地域情報入力手段に入力される地域情報は、経緯度、郵便番号、電話番号、地方名、県名、電源周波数、電力会社名のいずれかであるものとした。
【０００７】
また、前記地域情報入力手段に、さらに太陽光発電装置のパネル設置方向を入力可能とし、前記沸き上げ完了時刻設定手段は、前記パネル設置方向に応じて前記沸き上げ完了目標時刻を補正するようにした。
【０００８】
また、湯水を貯湯する貯湯タンクと、所定の加熱能力で前記貯湯タンク内の湯水を沸き上げるヒートポンプ式加熱手段と、電力会社の時間帯別料金制度に対応する深夜時間帯終了時刻より遡った沸き上げ完了目標時刻を設定する沸き上げ完了時刻設定手段と、前日までの使用熱量を学習して翌日の目標熱量を算出する目標熱量算出手段と、前記目標熱量の沸き上げを前記沸き上げ完了目標時刻に完了させるための沸き上げ開始時刻を前記所定の加熱能力の値を用いて算出する沸き上げ開始時刻算出手段と、前記沸き上げ開始時刻になると前記ヒートポンプ式加熱手段を駆動開始させて沸き上げを開始させる沸き上げ制御手段と、を備え、前記沸き上げ完了時刻設定手段は、外部から入力される太陽光発電装置の発電開始時刻を記憶する発電時刻記憶手段を有していると共に、記憶した前記発電開始時刻から前記沸き上げ完了目標時刻を決定するようにした。
【０００９】
また、湯水を貯湯する貯湯タンクと、所定の加熱能力で前記貯湯タンク内の湯水を沸き上げるヒートポンプ式加熱手段と、電力会社の時間帯別料金制度に対応する深夜時間帯終了時刻より遡った沸き上げ完了目標時刻を設定する沸き上げ完了時刻設定手段と、前日までの使用熱量を学習して翌日の目標熱量を算出する目標熱量算出手段と、前記目標熱量の沸き上げを前記沸き上げ完了目標時刻に完了させるための沸き上げ開始時刻を前記所定の加熱能力の値を用いて算出する沸き上げ開始時刻算出手段と、前記沸き上げ開始時刻になると前記ヒートポンプ式加熱手段を駆動開始させて沸き上げを開始させる沸き上げ制御手段と、を備え、前記沸き上げ完了時刻設定手段は、外部から入力される日の出時刻を記憶する日の出時刻記憶手段を有していると共に、記憶した前記日の出時刻から前記沸き上げ完了目標時刻を決定するようにした。
【００１０】
また、前記沸き上げ完了時刻設定手段は、さらに外部からの天気予報情報を取得して記憶する天気予報記憶手段を有し、記憶した前記天気予報情報に応じて前記沸き上げ完了目標時刻を補正するようにした。
【００１１】
また、前記沸き上げ完了時刻設定手段は、前記沸き上げ完了目標時刻を遅くとも前記深夜時間帯終了時刻までに制限しているものとした。
【発明の効果】
【００１２】
本発明によれば、太陽光発電装置および貯湯式給湯機が設置されている地域における発電開始状況に合わせた適切な時刻までに沸き上げを終了させることができ、太陽光発電装置の売電量を増加することができるものである。
【図面の簡単な説明】
【００１３】
【図１】本発明の一実施形態の設置構成の概略構成図
【図２】同一実施形態のヒートポンプ貯湯式給湯機の概略構成図
【図３】第１の実施形態の要部制御ブロック図
【図４】第２の実施形態の要部制御ブロック図
【図５】第３の実施形態の要部制御ブロック図
【図６】第４の実施形態の要部制御ブロック図
【発明を実施するための形態】
【００１４】
本発明の第１の実施形態のヒートポンプ貯湯式給湯機１を図面に基づいて説明する。
このヒートポンプ貯湯式給湯機１は、図１に示すように、太陽光発電装置１０１が設置された住宅等に設置され、他の設備機器等と同様に、分電盤１０２を介して電力会社１０３からの電力で主に駆動されるものである。太陽光発電装置１０１は、太陽光によってパネルで発電した直流電力を交流に変換するパワーコンディショナ１０４を介して分電盤１０２に電力供給し、分電盤１０２では、住宅等内で消費する電力以上の発電電力量があると電力会社１０３へ売電するようにしている。
【００１５】
次に、このヒートポンプ貯湯式給湯機１について説明すると、図２に示すように、２は湯水を貯湯するステンレス製の貯湯タンク３を有した貯湯タンクユニット、４は貯湯タンク３内の湯水を主に深夜時間帯に沸き上げるヒートポンプ式加熱手段としてのヒートポンプユニット、５は給湯設定温度を変更する等の操作を行うためのリモートコントローラである。
【００１６】
貯湯タンクユニット２には、貯湯タンク３底部に市水を給水する給水管６と、貯湯タンク３上部から出湯する出湯管７と、給水管６から分岐された給水バイパス管８と、出湯管７からの湯水と給水バイパス管８からの水とを給湯設定温度になるように混合する給湯混合弁９と、給湯混合弁９で混合された湯が流通する給湯管１０と、給湯管１０途中に設けられ給湯温度を検出する給湯温度センサ１１と、給湯管１０途中に設けられ給湯流量を検出する給湯流量センサ１２と、貯湯タンク２の側面上下に複数設けられてそれぞれ貯湯温度を検出する貯湯温度センサ１３と、給水管６に設けられ市水の給水圧を一定の圧力に減圧する減圧弁１４と、貯湯タンク２内の過圧を逃がす過圧逃がし弁１５と、ヒートポンプユニット４で加熱するため貯湯タンク２底部から取り出した湯水を流通させる加熱往き管１６と、ヒートポンプユニット４で加熱された湯水を貯湯タンク２上部へ戻すために流通させる加熱戻り管１７とが設けられている。
【００１７】
また、貯湯タンクユニット２には、貯湯タンク２内の湯の熱で浴槽１８からの浴水を加熱するための風呂熱交換器１９と、浴槽１８と風呂熱交換器１９とを浴水が循環可能に接続する風呂循環回路２０と、風呂循環回路２０途中に設けられ浴水を循環させる風呂循環ポンプ２１と、風呂循環回路２０を風呂熱交換器１９をバイパスして接続する熱交バイパス管２２と、浴槽１８からの浴水を風呂熱交換器１９側へ流すか熱交バイパス管２２側へ流すかを切り替える三方弁２３と、浴槽１８から風呂熱交換器１９へ流れる浴水の温度を検出する風呂温度センサ２４と、風呂循環回路２０の浴水の循環の有無を検知する流水スイッチ２５と、浴槽１８内の水位を検出するための水位センサ２６とが設けられている。
【００１８】
さらに、貯湯タンクユニット２には、給湯管１０から分岐されて風呂循環回路２０途中に接続される湯はり管２７と、湯はり管２６途中に設けられ湯はり流量を検出する湯はり流量センサ２８と、湯はり管２７途中に設けられ湯はり温度を検出する湯はり温度センサ２９と、湯はり管２７途中に設けられた電磁弁よりなる湯はり開閉弁３０と、湯はり開閉弁３０の下流に設けられ、湯はり開閉弁３０上流側の給水圧よりも浴槽１８からの逆流圧が高いときに浴水を外部に排水するホッパー弁３１とが設けられている。
【００１９】
ヒートポンプユニット４には、冷媒を圧縮する圧縮機３２と、圧縮された高温冷媒と貯湯タンク３からの湯水とを熱交換する冷媒水熱交換器３３と、冷媒水熱交換器３３で放熱された冷媒を減圧する膨張弁３４と、低温低圧の冷媒を蒸発する蒸発器３５と、圧縮機３２、冷媒水熱交換器３３、膨張弁３４、蒸発器３５を環状に接続した冷凍サイクル配管３６と、蒸発器３５に熱源となる外気を送風する送風機３７と、冷媒水熱交換器３３の水側に貯湯タンク３からの湯水を供給する加熱循環ポンプ３８と、加熱往き管１５から冷媒水熱交換器３３に流入する湯水の温度を検出する入水温度センサ３９と、冷媒水熱交換器３３から加熱戻り管１６へ流出する湯水の温度を検出する沸き上げ温度センサ４０とが設けられている。
【００２０】
リモートコントローラ５には、給湯機に関する各種の情報（給湯設定温度、風呂設定温度、風呂設定湯量、残湯量、給湯機の作動状態等）を表示する表示部４１と、給湯設定温度および風呂設定温度あるいは風呂設定湯量を設定操作するための設定スイッチ４２と、浴槽１８へ風呂設定湯量の湯はりを指示する湯はりスイッチ４３等の複数の操作スイッチ４４とが設けられている。
【００２１】
４５は貯湯タンクユニット２内に設けられ、給湯温度センサ１１、給湯流量センサ１２、貯湯温度センサ１７、風呂温度センサ２４、流水スイッチ２５、水位センサ２６、湯はり流量センサ２８、湯はり温度センサ２９の検出値が入力され、給湯混合弁９、風呂循環ポンプ２１、三方弁２３、湯はり開閉弁３０の作動を制御すると共に、ヒートポンプユニット４およびリモートコントローラ５と必要な情報を送受信可能に接続された貯湯制御手段である。ここで、貯湯制御手段４５は、ＭＰＵ等の論理回路を有してメモリを参照しつつ予め記憶されているプログラムに従って作動を制御するものである。
【００２２】
４６はヒートポンプユニット４内に設けられ、入水温度センサ３９、沸き上げ温度センサ４０の検出値が入浴され、圧縮機３２、膨張弁３４、送風機３７、加熱循環ポンプ３８の作動を制御すると共に、貯湯制御手段４５と必要な情報を送受信可能に接続された加熱制御手段である。ここで、加熱制御手段４６は、ＭＰＵ等の論理回路を有してメモリを参照しつつ予め記憶されているプログラムに従って作動を制御するものである。
【００２３】
４７はリモートコントローラ５内に設けられ、操作スイッチ４４の操作信号や貯湯制御手段４５からの信号を受け、表示部４１に予め定められた必要な表示を行わせると共に、貯湯制御手段４５に操作信号に基づく信号を送信するリモコン制御手段である。ここで、リモコン制御手段４７は、ＭＰＵ等の論理回路を有してメモリを参照しつつ予め記憶されているプログラムに従って作動を制御するものである。
【００２４】
ここで、貯湯制御手段４５と加熱制御手段４６とリモコン制御手段４７は互いに必要な情報を授受して、互いに連携してヒートポンプ貯湯式給湯機１の作動を制御する制御手段として振る舞うものである。
【００２５】
図３は、貯湯制御手段４５の要部の制御ブロック図で、５１は、電力会社の時間帯別料金制度の電力料金単価の安価な深夜時間帯の終了時刻より遡った沸き上げ完了目標時刻を設定する沸き上げ完了時刻設定手段で、日付情報を出力する季節情報出力手段としてのカレンダ機能５２と、ヒートポンプ貯湯式給湯機１の設置地域を示す情報を予め入力する地域情報入力手段５３と、太陽光発電装置１０１のパネル設置方向を入力する設置方向入力手段５４とを有しているものである。
【００２６】
ここで、地域情報入力手段５３は、リモートコントローラ５の操作スイッチ４４の特定操作によって、予め定められた地域情報（経緯度、郵便番号の上３桁、電話番号の市外局番、関西、東北など、もしくは西日本や東日本などの地方名、県名、５０Ｈｚか６０Ｈｚのどちらかの電源周波数、設置地域の電力会社名のいずれかで、設置地域を特定するための情報）を直接入力あるいはリストから選択して入力するようにしているものである。
【００２７】
設置方向入力手段５４は、リモートコントローラ５の操作スイッチ４４の特定操作によって、太陽光発電装置１０１のパネル設置方向を東西南北４方位あるいは８方位から選択して入力可能としているものである。
【００２８】
そして、沸き上げ完了時刻設定手段５１は、カレンダ機能５２の出力する日付情報と、地域情報入力手段５３で入力されている地域情報と、設置方向入力手段５４から入力されている太陽光発電装置１０１のパネル設置方向とから太陽光発電装置１０１の発電開始予想時刻に基づく沸き上げ完了目標時刻を決定するようにしている。
【００２９】
ここで、沸き上げ完了時刻設定手段５１は、地域情報と日付情報とを対応させて日の出の時刻を予め記憶しており、地域情報と日付情報とから日の出の時刻を予測し、この日の出の時刻と太陽光発電装置１０１の設置方向から太陽光発電装置１０１の発電開始時刻を予測して、これに基づいて沸き上げ完了目標時刻を決定している。なお、発電開始時刻が深夜時間帯終了時刻よりも後である場合は、深夜時間帯の終了時刻を沸き上げ完了目標時刻とするようにしている。
【００３０】
５５は、給湯温度センサ１１、給湯流量センサ１２、湯はり温度センサ２８、湯はり流量センサ２９で検出した湯の温度やその流量から一日の間の使用熱量を算出し、これを複数日分記憶して、平均や偏差を算出して翌日の目標熱量を算出する目標熱量算出手段である。なお、使用熱量の算出には、浴水の加熱に用いられた貯湯熱量を加えてもよいものである。
【００３１】
５６は、目標熱量算出手段５５で算出した目標熱量を、沸き上げ完了時刻設定手段５１で設定した沸き上げ完了目標時刻に沸き上げ完了させるための沸き上げ開始時刻を所定の加熱能力を用いて算出する沸き上げ開始時刻算出手段で、ここでは、深夜時間帯開始時刻になると、目標熱量から貯湯温度センサ１７で検出した貯湯タンク３内の残熱量を減じた値をヒートポンプユニット４の所定の加熱能力で除して算出した沸き上げ所要時間を深夜時間帯終了時刻から逆算して沸き上げ開始時刻を算出するようにしている。なお、最先の沸き上げ開始時刻は、深夜時間帯開始時刻に制限しており、沸き上げ開始時刻が深夜時間帯開始時刻よりも前になる場合は、沸き上げ開始時刻を深夜時間帯開始時刻とするようにしている。
【００３２】
５７は、沸き上げ開始時刻算出手段５３が算出した沸き上げ開始時刻になると、ヒートポンプユニット３０を所定の加熱能力（ここでは４．５ｋＷ）で駆動させるよう加熱制御手段４６へ沸き上げ開始指示を出力し、深夜時間帯終了時刻が到来するか、貯湯温度センサ１７で目標熱量が貯湯されたことを検知したら加熱制御手段４６へ沸き上げ停止指示を出力する沸き上げ制御手段である。
【００３３】
そして、沸き上げ開始時刻算出手段５６は、深夜時間帯開始時刻になると、沸き上げ完了目標時刻に沸き上げ完了させるための沸き上げ開始時刻を算出し、沸き上げ制御手段５７は、算出された沸き上げ開始時刻になると、ヒートポンプユニット４を所定の加熱能力で駆動させるよう加熱制御手段４６へ沸き上げ開始指示を出力し、沸き上げ完了目標時刻までに沸き上げを完了させるように作動する。
【００３４】
このようにして、地域情報と日付情報とから沸き上げ完了目標時刻を決定するようにしているため、太陽光発電装置１０１およびヒートポンプ貯湯式給湯機１が設置されている地域における発電開始状況に合わせた適切な時刻までに沸き上げを終了させることができ、太陽光発電装置の売電量を増加することができるものである。
【００３５】
さらには、太陽光発電装置１０１のパネル設置方向も考慮して沸き上げ完了目標時刻を決定するので、例えば西向きのパネル設置では太陽光発電装置１０１の発電開始時刻が東向きに比べて遅くなることを考慮して沸き上げ完了目標時刻を遅くすることができ、沸き上げ完了から給湯に使用されるまでの貯湯タンク３における自然放熱量を抑制することができるものである。
【００３６】
ここで、沸き上げ開始後に給湯がされるなどして沸き上げ完了目標時刻に目標熱量が沸き上がらなかった場合は、沸き上げ完了目標時刻を過ぎても深夜時間帯終了時刻の到来までは、目標熱量が貯湯されるまで沸き上げを継続し、沸き上げ制御手段５４は深夜時間帯終了時刻が到来するか、貯湯温度センサ１７で目標熱量が貯湯されたことを検知したら加熱制御手段４６へ沸き上げ停止指示を出力する。
【００３７】
このようにして、沸き上げ完了目標時刻までに沸き上げが完了しなければ、太陽光発電装置１０１の発電電力の売電よりも優先して深夜時間帯終了時刻まで沸き上げを継続するため、電力料金単価の安価な深夜時間帯での沸き上げを継続し、湯切れの心配もないものである。
【００３８】
なお、季節情報出力手段としては、カレンダ機能５２に代えて、外気温度または給水温度から冬期、夏期、中間期のいずれかの季節にあたるかの季節情報を出力する構成としてもよい。日付情報に比べて精度は劣るが、地域情報との組合せによる適切な沸き上げ完了目標時刻を決定することができるものである。
【００３９】
また、日付情報としては、日単位のみならず、月単位あるいは季節単位として対応して記憶する日の出の時刻情報の量を圧縮するようにしてもよいものである。
【００４０】
この第１の実施形態では、ヒートポンプ貯湯式給湯機１と、太陽光発電装置１０１または外部のネットワーク機器との直接的、間接的な通信がなくとも、ヒートポンプ貯湯式給湯機１を太陽光発電装置１０１の発電状況に応じていると思われる適切な沸き上げ完了目標時刻を決定することができるものである。
【００４１】
次に、本発明の第２の実施形態について図４に基づいて説明する。なお、先の実施形態と同一のものには同一の符号を付してその説明を省略する。
【００４２】
１０５はＨＥＭＳ機器等の外部サーバに接続されたネットワーク機器で、地域情報入力手段５３と接続され、ネットワーク機器１０５の操作端末の操作によって予め定められた地域情報（経緯度、郵便番号の上３桁、電話番号の市外局番、関西、東北など、もしくは西日本や東日本などの地方名、県名、５０Ｈｚか６０Ｈｚのどちらかの電源周波数、設置地域の電力会社名のいずれか）を直接入力あるいはリストから選択して入力するようにしているものである。
【００４３】
５８はヒートポンプ貯湯式給湯機１が設置されている地域の天気予測情報を記憶する天気予測情報記憶手段で、ネットワーク機器１０５と接続され、深夜時間帯の開始時刻ごろに外部サーバから当該地域における翌朝の天気予測情報を入手して記憶するようにしている。
【００４４】
そして、沸き上げ完了時刻設定手段５１は、カレンダ機能５２の出力する日付情報と、地域情報入力手段４５３で入力されている地域情報と、天気予測情報記憶手段５８で記憶している天気予測情報とから太陽光発電装置１０１の発電開始予想時刻に基づく沸き上げ完了目標時刻を決定するようにしている。ここでは、沸き上げ完了時刻設定手段５１は、地域情報と日付情報とから日の出の時刻を予測し、この日の出の時刻と天気予測情報の内容から太陽光発電装置１０１の発電開始時刻を予測して、これに基づいて沸き上げ完了目標時刻を決定している。
【００４５】
具体的には、天気予測情報の内容が雨や厚い雲が存在する情報であれば、日の出時刻ごろでの発電は期待できないため、沸き上げ完了目標時刻を深夜時間帯終了時刻とし、晴天や薄曇りの情報であれば、日の出時刻ごろでの発電を可能な限り売電可能なように、予測した日の出の時刻を沸き上げ完了目標時刻とするようにしている。
【００４６】
そして、沸き上げ開始時刻算出手段５６は、深夜時間帯開始時刻になると、沸き上げ完了目標時刻に沸き上げ完了させるための沸き上げ開始時刻を算出し、沸き上げ制御手段５７は、算出された沸き上げ開始時刻になると、ヒートポンプユニット４を所定の加熱能力で駆動させるよう加熱制御手段４６へ沸き上げ開始指示を出力し、沸き上げ完了目標時刻までに沸き上げを完了させるように作動する。
【００４７】
このようにして、地域情報と日付情報とから沸き上げ完了目標時刻を決定するようにしているため、太陽光発電装置１０１およびヒートポンプ貯湯式給湯機１が設置されている地域における発電開始状況に合わせた適切な時刻までに沸き上げを終了させることができ、太陽光発電装置の売電量を増加することができるものである。
【００４８】
さらには、地域の天気予測情報も考慮して沸き上げ完了目標時刻を決定するので、例えば太陽光発電装置１０１による売電量を増加させるために日の出時刻ごろに沸き上げを完了させても、雨や厚い雲が存在していれば太陽光発電装置１０１の発電量が少なく、早く沸き上げ完了させた分だけ貯湯タンク３における余分な放熱量が増加するが、天気予測情報が雨や厚い雲が存在する予想であれば、沸き上げ完了目標時刻を深夜時間帯の終了時刻とすれば、沸き上げ完了から給湯に使用されるまでの貯湯タンク３における自然放熱量を抑制することができるものである。
【００４９】
次に、本発明の第３の実施形態について図５に基づいて説明する。なお、先の実施形態と同一のものには同一の符号を付してその説明を省略する。
【００５０】
５９は太陽光発電装置１０１と直接またはＨＥＭＳ機器を介して間接的に接続されて太陽光発電装置１０１の発電開始時刻を記憶する発電時刻記憶手段で、最新の発電開始時刻を記憶すると共に、最新の発電開始時刻が過去複数日間（例えば７個のデータ）の発電開始時刻の平均値から一定時間以上離れている場合には、この値を記憶せずに、前日までの発電開始時刻の記憶を保持するようにしている。
【００５１】
沸き上げ完了時刻設定手段５１は、発電時刻記憶手段で記憶している発電開始時刻から沸き上げ完了目標時刻を決定するようにしているもので、ここでは記憶している発電開始時刻そのものを沸き上げ完了目標時刻とし、発電開始時刻が深夜時間帯終了時刻よりも後である場合は、深夜時間帯の終了時刻を沸き上げ完了目標時刻とするようにしている。
【００５２】
そして、沸き上げ開始時刻算出手段５６は、深夜時間帯開始時刻になると、沸き上げ完了目標時刻に沸き上げ完了させるための沸き上げ開始時刻を算出し、沸き上げ制御手段５７は、算出された沸き上げ開始時刻になると、ヒートポンプユニット４を所定の加熱能力で駆動させるよう加熱制御手段４６へ沸き上げ開始指示を出力し、沸き上げ完了目標時刻までに沸き上げを完了させるように作動する。
【００５３】
このようにして、発電開始時刻から沸き上げ完了目標時刻を決定するようにしているため、太陽光発電装置１０１およびヒートポンプ貯湯式給湯機１が設置されている地域における発電開始状況に合わせた適切な時刻までに沸き上げを終了させることができ、太陽光発電装置の売電量を増加することができるものである。
【００５４】
次に、本発明の第４の実施形態について図６に基づいて説明する。なお、先の実施形態と同一のものには同一の符号を付してその説明を省略する。
【００５５】
６０はヒートポンプ貯湯式給湯機１が設置されている地域の日の出時刻情報を記憶する日の出時刻記憶手段で、ネットワーク機器１０５と接続され、深夜時間帯の開始時刻ごろに外部サーバから当該地域における翌朝の日の出時刻情報を入手して記憶するようにしている。なお、日の出時刻の記憶頻度は、毎日でなくともよく、週単位、月単位あるいは季節単位としてもよいものである。
【００５６】
ここで、ネットワーク機器１０５は、ネットワーク機器１０５の操作端末の操作によって予め定められた地域情報（経緯度、郵便番号の上３桁、電話番号の市外局番、関西、東北など、もしくは西日本や東日本などの地方名、県名、５０Ｈｚか６０Ｈｚのどちらかの電源周波数、設置地域の電力会社名のいずれか）を直接入力あるいはリストから選択して入力可能なもので、入力された地域情報を用いて、ヒートポンプ貯湯式給湯機１が設置されている地域の日の出時刻情報を取得して、日の出時刻記憶手段６０に対して送信可能としているものである。
【００５７】
沸き上げ完了時刻設定手段５１は、日の出時刻記憶手段で記憶している日の出時刻から沸き上げ完了目標時刻を決定するようにしているもので、ここでは記憶している日の出時刻そのものを沸き上げ完了目標時刻とし、日の出時刻が深夜時間帯終了時刻よりも後である場合は、深夜時間帯の終了時刻を沸き上げ完了目標時刻とするようにしている。
【００５８】
そして、沸き上げ開始時刻算出手段５６は、深夜時間帯開始時刻になると、沸き上げ完了目標時刻に沸き上げ完了させるための沸き上げ開始時刻を算出し、沸き上げ制御手段５７は、算出された沸き上げ開始時刻になると、ヒートポンプユニット４を所定の加熱能力で駆動させるよう加熱制御手段４６へ沸き上げ開始指示を出力し、沸き上げ完了目標時刻までに沸き上げを完了させるように作動する。
【００５９】
このようにして、日の出時刻から沸き上げ完了目標時刻を決定するようにしているため、太陽光発電装置１０１およびヒートポンプ貯湯式給湯機１が設置されている地域における発電開始状況に合わせた適切な時刻までに沸き上げを終了させることができ、太陽光発電装置の売電量を増加することができるものである。
【００６０】
なお、日の出時刻記憶手段６０は、日の出時刻情報を記憶するものであるため、外部サーバが近隣地域の発電開始時刻の情報を収集している場合は、この近隣地域の発電開始時刻情報をもって日の出時刻情報として取得して記憶する構成としてもよい。
【００６１】
なお、本発明は上記の実施形態に限定されるものではなく、発明の要旨を変更しない範囲で改変可能なものである。
【符号の説明】
【００６２】
１  ヒートポンプ貯湯式給湯装置
３  貯湯タンク
４  ヒートポンプユニット（ヒートポンプ式加熱手段）
５１  沸き上げ完了時刻設定手段
５２  カレンダ機能（季節情報出力手段）
５３  地域情報入力手段
５４  設置方向入力手段
５５  目標熱量算出手段
５６  沸き上げ開始時刻算出手段
５７  沸き上げ制御手段
５８  天気予測情報記憶手段
５９  発電時刻記憶手段
６０  日の出時刻記憶手段
１０１  太陽光発電装置
【図１】
2014224660.tif 000003
【図２】
2014224660.tif 000004
【図３】
2014224660.tif 000005
【図４】
2014224660.tif 000006
【図５】
2014224660.tif 000007
【図６】
2014224660.tif 000008